(57)【要約】【課題】ケース半体相互による保持材の噛み込みを防いで、ケース半体相互の確実な溶接を行うことができると共に、浄化体を十分な保持力で保持することができ、排気の浄化を確実に安定して行うことができる。【解決手段】排気を浄化する略柱形の浄化体２と、浄化体２の外周に周設されるマット状の保持材３と、保持材３が周設された浄化体２を収容するケース４を備え、ケース４が一対のケース半体５、６で構成され、浄化体２の外周に形成されている平面部２１２の端が屈曲されて軸方向に延びる屈曲部２１５が浄化体２の両側に設けられ、ケース半体５、６の両側の合わせ部の少なくとも一部が、屈曲部２１５の近傍位置で屈曲部２１５に倣うようにそれぞれ設けられる排気浄化装置１。【選択図】図２
2018127957.tif 000002
【特許請求の範囲】
【請求項１】
排気を浄化する略柱形の浄化体と、
前記浄化体の外周に周設されるマット状の保持材と、
前記保持材が周設された浄化体を収容するケースを備え、
前記ケースが、前記浄化体の軸方向に対して略垂直な方向に合わせられた一対のケース半体で構成され、
前記浄化体の外周に形成されている略平面状の平面部若しくは曲面部の端が屈曲されて軸方向に延びる屈曲部が前記浄化体の両側に設けられ、
前記一対のケース半体の両側の合わせ部の少なくとも一部が、前記屈曲部の近傍位置で前記屈曲部に倣うようにそれぞれ設けられていることを特徴とする排気浄化装置。
【請求項２】
前記浄化体に外側に膨出する周状の膨出部が設けられ、
前記膨出部に前記屈曲部が設けられていることを特徴とする請求項１記載の排気浄化装置。
【請求項３】
前記合わせ部が、前記一対のケース半体の外側方に突出するフランジの根元が相互に当接する当接部であることを特徴とする請求項１又は２記載の排気浄化装置。
【請求項４】
前記合わせ部が、一方の前記ケース半体の内側に嵌め込まれる他方の前記ケース半体の先端と前記一方の前記ケース半体との接触部であることを特徴とする請求項１又は２記載の排気浄化装置。
【請求項５】
前記浄化体の前記保持材の周設領域において、前記浄化体の軸方向の任意の位置における前記浄化体と前記ケースとの離間距離が、前記合わせ部周辺以外の周方向の全体で略同一になっていることを特徴とする請求項１〜４の何れかに記載の排気浄化装置。
【発明の詳細な説明】
【技術分野】
【０００１】
本発明は、主に自動四輪車や自動二輪車の内燃機関で発生した排気の浄化処理に係り、排気中の有害物質を除去する排気浄化装置に関する。
【背景技術】
【０００２】
従来、内燃機関の排気経路にＤＰＦ（ディーゼル微粒子捕集フィルター）を備える排気浄化装置を設置し、排気中に含まれる有害物質を除去して排気を浄化することが行われている。この排気浄化装置の例を図６に示す。図６の排気浄化装置１００は、ＤＰＦ等のハニカム構造体で構成され、排気を浄化する浄化体１１０と、浄化体１１０の外周に周設されて浄化体を保持するマット状の保持材１２０と、保持材１２０が周設された浄化体１１０を収容するケース１３０を備える。
【０００３】
浄化体１１０は、略楕円柱形の形状を有し、その軸方向の中間位置に外側に膨出する周状の膨出部１１１が設けられている。膨出部１１１は、横断面視で略八角形に形成されており、上下に位置する平面部１１２と、左右両側に位置する平面部１１３と、平面部１１２と平面部１１３との間に位置する平面部１１４とから構成されている。保持材１２０は、膨出部１１１の外周を覆うように周設されている。
【０００４】
ケース１３０は、上側に位置する上側ケース半体１４０と、下側に位置する下側ケース半体１５０とから構成される。上側ケース半体１４０と、下側ケース半体１５０は、同一形状で形成されていると共に、それぞれ浄化体１１０の上側半分、下側半分に倣う形状で形成されている。上側ケース半体１４０と、下側ケース半体１５０のそれぞれの両端部には、外側方に突出するフランジ１４１、１５１が形成されており、膨出部１１１に対応する箇所では平面部１１３に対応する箇所からフランジ１４１、１５１が外側方に突出している。
【０００５】
ところで、この排気浄化装置１００では、左右両側に位置する平面部１１３・１１３に対応する箇所で周設された保持材１２０に弛みが生じたり、保持材１２０と平面部１１３との密接状態が不十分になったりする場合がある。このような場合、上側ケース半体１４０と、下側ケース半体１５０を上下から閉じる際に、図７に示すように、保持材１２０をフランジ１４１、１５１で噛み込んでしまい、この噛み込みにより、保持材１２０による浄化体１１０の保持力の低下、フランジ１４１、１５１の予期しないクリアランスによる不十分な溶接を招いてしまう。
【０００６】
この保持材１２０の挟み込みの問題点をある程度解消できる排気浄化装置として、特許文献１の排気浄化装置がある。特許文献１の排気浄化装置は、浄化体の外周面からケースまで距離を浄化体の部位によって異ならせて浄化体とケースの間に広いスペースを部分的に設けると共に、ケース半体のフランジの根元に大きめのテーパ部や複合アール形状部を設けて大きめの隙間を形成し、この広いスペースや大きめの隙間に保持材を逃がして、保持材の噛み込みを防ごうとするものである。
【先行技術文献】
【特許文献】
【０００７】
【特許文献１】特開２０１５−１１０９０５号公報
【発明の概要】
【発明が解決しようとする課題】
【０００８】
しかしながら、特許文献１の排気浄化装置は、浄化体とケースの間の一部だけの狭いスペースの箇所の保持材で浄化体を保持し、広いスペースの箇所に保持材を逃がす構造であるため、狭いスペースと広いスペースの調整が正確でない場合には、保持材による浄化体の保持力が不十分になってしまう。また、フランジの根元の大きな隙間に保持材が充填されない大きな空洞ができ、この空洞に浄化体を流通しない排気が流れ込んで、未浄化の排気が外気に流出する可能性が高くなる。
【０００９】
そのため、ケース半体相互による保持材の噛み込みを防いで、ケース半体相互の確実な溶接を行うことができると共に、浄化体を十分な保持力で保持することができ、排気の浄化を確実に行うことができる排気浄化装置が求められている。
【００１０】
本発明は上記課題に鑑み提案するものであって、ケース半体相互による保持材の噛み込みを防いで、ケース半体相互の確実な溶接を行うことができると共に、浄化体を十分な保持力で保持することができ、排気の浄化を確実に安定して行うことができる排気浄化装置を提供することを目的とする。
【課題を解決するための手段】
【００１１】
本発明の排気浄化装置は、排気を浄化する略柱形の浄化体と、前記浄化体の外周に周設されるマット状の保持材と、前記保持材が周設された浄化体を収容するケースを備え、前記ケースが、前記浄化体の軸方向に対して略垂直な方向に合わせられた一対のケース半体で構成され、前記浄化体の外周に形成されている略平面状の平面部若しくは曲面部の端が屈曲されて軸方向に延びる屈曲部が前記浄化体の両側に設けられ、前記一対のケース半体の両側の合わせ部の少なくとも一部が、前記屈曲部の近傍位置で前記屈曲部に倣うようにそれぞれ設けられていることを特徴とする。
これによれば、屈曲部の外側に位置する保持材の部分は屈曲部で外方に付勢されるように引っ張られ、他の部分よりも薄く、浄化体に密接した状態になる。そのため、屈曲部の近傍位置で屈曲部に倣うように設けられた合わせ部の部分が、ケース半体相互を合わせる際に保持材を噛み込むことを防止することができる。従って、浄化体の外周に略平面状の平面部若しくは曲面部と屈曲部を有する排気浄化装置において、ケース半体相互を合わせた状態で溶接する際に、保持材の噛み込みが無い状態でケース半体相互を確実に溶接することができる。また、保持材の噛み込みが無く、設定通りのケース半体相互の接合、設定通りの分量・密度の保持材での浄化体の保持を行うことができ、浄化体を十分な保持力で安定して保持することができる。また、ケース半体相互を合わせた状態、保持材が周設された浄化体を収容したケースの状態で、浄化体の軸方向に延びるフランジの根元の大きな隙間等の大きな空洞が生じないことから、排気の浄化を確実に安定して行うことができる。
【００１２】
本発明の排気浄化装置は、前記浄化体に外側に膨出する周状の膨出部が設けられ、前記膨出部に前記屈曲部が設けられていることを特徴とする。
これによれば、浄化体に外側に膨出する周状の膨出部が設けられる排気浄化装置において、ケース半体相互による保持材の噛み込みを防止し、ケース半体相互の確実な溶接、浄化体の十分な保持力による保持を行うことができると共に、排気の浄化を確実に安定して行うことができる。
【００１３】
本発明の排気浄化装置は、前記合わせ部が、前記一対のケース半体の外側方に突出するフランジの根元が相互に当接する当接部であることを特徴とする。
これによれば、一対のケース半体の外側方に突出するフランジを相互に合わせる排気浄化装置において、ケース半体相互による保持材の噛み込みを防止し、ケース半体相互の確実な溶接、浄化体の十分な保持力による保持を行うことができると共に、排気の浄化を確実に安定して行うことができる。
【００１４】
本発明の排気浄化装置は、前記合わせ部が、一方の前記ケース半体の内側に嵌め込まれる他方の前記ケース半体の先端と前記一方の前記ケース半体との接触部であることを特徴とする。
これによれば、一方のケース半体の内側に嵌め込まれる他方の前記ケース半体の先端と一方のケース半体とが接触する排気浄化装置において、ケース半体相互による保持材の噛み込みを防止し、ケース半体相互の確実な溶接、浄化体の十分な保持力による保持を行うことができると共に、排気の浄化を確実に安定して行うことができる。
【００１５】
本発明の排気浄化装置は、前記浄化体の前記保持材の周設領域において、前記浄化体の軸方向の任意の位置における前記浄化体と前記ケースとの離間距離が、前記合わせ部周辺以外の周方向の全体で略同一になっていることを特徴とする。
これによれば、保持材により全周に亘って略均等な保持力で浄化体を保持することができ、浄化体をより一層安定して保持することができる。また、周方向において保持材を圧縮する箇所と逃がす箇所を意図的に調整して形成する構造でないことから、設計誤差の許容範囲が大きくなる。従って、歩留まりの向上、製造コストの低減、製造効率の向上を図ることができる。
【発明の効果】
【００１６】
本発明の排気浄化装置によれば、ケースを構成するケース半体相互による保持材の噛み込みを防いで、ケース半体相互の確実な溶接を行うことができると共に、浄化体を十分な保持力で保持することができ、排気の浄化を確実に安定して行うことができる。
【図面の簡単な説明】
【００１７】
【図１】（ａ）は本発明による第１実施形態の排気浄化装置の斜視図、（ｂ）はその側面図。
【図２】第１実施形態の排気浄化装置のＡ−Ａ断面図。
【図３】第１実施形態の排気浄化装置における浄化体の斜視図。
【図４】（ａ）は第１実施形態の排気浄化装置の第１変形例を示す側面図、（ｂ）は第１実施形態の排気浄化装置の第２変形例を示す側面図。
【図５】（ａ）は本発明による第２実施形態の排気浄化装置の斜視図、（ｂ）はそのＢ−Ｂ断面図。
【図６】（ａ）は従来例の排気浄化装置の斜視図、（ｂ）はそのＭ−Ｍ断面図。
【図７】従来例の排気浄化装置における保持材の噛み込みを説明する断面説明図。
【発明を実施するための形態】
【００１８】
〔第１実施形態の排気浄化装置〕
本発明による第１実施形態の排気浄化装置１は、図１及び図２に示すように、排気を浄化する略柱形の浄化体２と、浄化体２の外周に周設されるマット状の保持材３と、保持材３が周設された浄化体２を収容するケース４を備えるものであり、ケース４が、浄化体２の軸方向に対して略垂直な方向に合わせられた一対のケース半体５、６で構成されている。
【００１９】
第１実施形態における浄化体２は、図１〜図３に示すように、略楕円柱形の形状を有し、その軸方向の中間位置に外側に膨出する周状の膨出部２１が設けられている。膨出部２１の前後には、膨出部２１よりも小径で略楕円柱形の基部２２、２３が設けられている。膨出部２１の外形は正面視で略八角形であり、その外周には、上下に位置する平面部２１１・２１１と、左右両側に位置する平面部２１２・２１２と、平面部２１１と平面部２１２との間に設けられている平面部２１３が形成されている。
【００２０】
平面部２１１と平面部２１３との間には、平面部２１１の端を屈曲するようにして屈曲部２１４が形成されており、屈曲部２１４は浄化体２の軸方向に延びて平面部２１１の端辺を構成するように設けられている。また、平面部２１２と平面部２１３との間には、平面部２１２の端を屈曲するようにして屈曲部２１５が形成されており、屈曲部２１５は浄化体２の軸方向に延びて平面部２１２の端辺を構成するように設けられている。
【００２１】
即ち、浄化体２の膨出部２１に４箇所の屈曲部２１４と４箇所の屈曲部２１５が設けられており、又、上側に位置する屈曲部２１５・２１５が浄化体２の両側に設けられていると共に、下側に位置する屈曲部２１５・２１５も浄化体２の両側に設けられている。この浄化体２の外形状は、例えば浄化体２の基となる浄化基材を特定部位のみ残して外皮を削り出しして形成される。
【００２２】
第１実施形態における浄化体２は、排気ガスの流路となる複数のセルが多孔質壁で区画されたハニカム体を有し、多孔質壁へパティキュレートを捕集して燃焼するＤＰＦ（Ｄｉｅｓｅｌ  Ｐａｒｔｉｃｕｌａｔｅ  Ｆｉｌｔｅｒ）等のウォールフロー型の浄化フィルタ構造体であるが、浄化体２には排気を浄化する適宜のものを用いることが可能であり、例えばセラミックス製のハニカム体（触媒担体）の隔壁にアルミナ等の触媒担持層と触媒担持層で担持されるＰｔ等の触媒金属が設けられるストレートフロー型の浄化フィルタ構造体、或いはウォールフロー型とストレートフロー型を一体化した浄化フィルタ構造体等としてもよい。
【００２３】
保持材３は、浄化体２の膨出部２１の外周を覆うように周設されており、第１実施形態では、浄化体２の軸方向で膨出部２１に対応する領域に保持材３が周設されている。保持材３には、本発明の趣旨の範囲内で適宜の素材を帯状にして用いることが可能であり、例えばアルミナ繊維、ムライト繊維或いはこれらの混合繊維等の耐熱性素材とすることが可能である。
【００２４】
ケース４を構成する一対のケース半体５、６は、それぞれ金属製であり、軸方向の中間位置に外側に膨出する略弧状の膨出部５１、６１が設けられている。膨出部５１の前後には膨出部５１よりも小径で略半楕円筒形の基部５２、５３が設けられ、膨出部６１の前後にも膨出部６１よりも小径で略半楕円筒形の基部６２、６３が設けられている。
【００２５】
図示で上側のケース半体に相当するケース半体５の左右両側の端部には、外側方に突出するように屈曲されてフランジ５４・５４が形成されている。フランジ５４は、前部と後部で略直線状に延びて形成されていると共に、膨出部５１に略対応する位置で上側に凹状に曲がって形成されており、その中央に略直線状に延びて形成されている中間部５４１の根元が、浄化体２の屈曲部２１５の近傍位置に配置され、屈曲部２１５に倣うように設けられる。
【００２６】
図示で下側のケース半体に相当するケース半体６の左右両側の端部には、外側方に突出するように屈曲されてフランジ６４・６４が形成されている。フランジ６４は、前部と後部で略直線状に延びて形成されていると共に、膨出部６１に略対応する位置で上側に凸状に曲がって形成されており、その中央に略直線状に延びて形成されている中間部６４１の根元が、浄化体２の屈曲部２１５の近傍位置に配置され、屈曲部２１５に倣うように設けられる。
【００２７】
ケース４は、ケース半体５のフランジ５４と、ケース６のフランジ６４を略全体が面接触するように嵌め合わせて形成され、フランジ５４とフランジ６４の先端部或いは外側方への突出方向における中間の所定位置等で軸方向に溶接することにより接合されている。このフランジ５４とフランジ６４を略全体が面接触するように嵌め合わされた部分のうち、フランジ５４、６４の根元が相互に当接する当接部４１は、ケース半体５、６の両側の合わせ部に相当する。
【００２８】
そして、当接部４１のうち、フランジ５４の中間部５４１の根元とフランジ６４の中間部６４１の根元が相互に当接する当接部４１ｐが、浄化体２の屈曲部２１５の近傍位置に配置され、屈曲部２１５に倣うように設けられる。この当接部４１ｐは、屈曲部２１５の近傍位置に配置されて屈曲部２１５に倣うように設けられるケース半体５、６の合わせ部の一部に相当し、ケース半体５、６の両側で当接部４１ｐ・４１ｐが、屈曲部２１５の近傍位置に配置され、屈曲部２１５に倣うようにそれぞれ設けられる。また、第１実施形態では、浄化体２の保持材３の周設領域において、浄化体２の軸方向の任意の位置における浄化体２とケース４との離間距離が、合わせ部周辺以外の周方向の全体で、換言すれば当接部４１ｐの周辺以外の周方向の全体で略同一になるように形成されている。
【００２９】
尚、一対のケース半体５、６のフランジ、ケース４の合わせ部、当接部は上記構成に限定されず、例えば図４（ａ）のフランジ５４ａ、６４ａのように側面視で略截頭山形とし、フランジ５４ａ、６４ａの根元や、その中央で略直線状に延びて形成されている中間部５４１ａ、６４１ａの根元が、当接部４１、屈曲部２１５の近傍位置に配置されて屈曲部２１５に倣うように設けられる当接部４１ｐ、或いは合わせ部を構成するようにしてもよい。
【００３０】
また、図４（ｂ）のように、屈曲部２１５に略対応する位置で、全長に亘って略直線状に延びるフランジ５４ｂ、６４ｂを形成し、フランジ５４ｂ、６４ｂの根元や、その中間部の根元が、当接部４１、屈曲部２１５の近傍位置に配置されて屈曲部２１５に倣うように設けられる当接部４１ｐ、或いは合わせ部を構成するようにしてもよい。
【００３１】
第１実施形態の排気浄化装置１によれば、屈曲部２１５の外側に位置する保持材３の部分は屈曲部２１５で外方に付勢されるように引っ張られ、他の部分よりも薄く、浄化体２に密接した状態になる。そのため、屈曲部２１５の近傍位置で屈曲部２１５に倣うように設けられた合わせ部の部分或いは当接部４１ｐが、ケース半体５、６相互を合わせる際に保持材３を噛み込むことを防止することができる。従って、浄化体２の外周に平面部２１２等を有する排気浄化装置１において、ケース半体５、６相互を合わせた状態で溶接する際に、保持材３の噛み込みが無い状態でケース半体５、６相互を確実に溶接することができる。また、保持材３の噛み込みが無く、設定通りのケース半体５、６相互の接合、設定通りの分量・密度の保持材３での浄化体２の保持を行うことができ、浄化体２を十分な保持力で安定して保持することができる。また、ケース半体５、６相互を合わせた状態、保持材３が周設された浄化体２を収容したケース４の状態で、浄化体２の軸方向に延びるフランジ５４、６４の根元の大きな隙間等の大きな空洞が生じないことから、排気の浄化を確実に安定して行うことができる。
【００３２】
また、浄化体２の保持材３の周設領域において、浄化体２の軸方向の任意の位置における浄化体２とケース４との離間距離を、合わせ部周辺或いは当接部４１ｐ周辺以外の周方向の全体で略同一にすることにより、保持材３により全周に亘って略均等な保持力で浄化体２を保持することができ、浄化体２をより一層安定して保持することができる。また、周方向において保持材３を圧縮する箇所と逃がす箇所を意図的に調整して形成する構造でないことから、設計誤差の許容範囲が大きくなる。従って、歩留まりの向上、製造コストの低減、製造効率の向上を図ることができる。
【００３３】
〔第２実施形態の排気浄化装置〕
本発明による第２実施形態の排気浄化装置１ｋは、図５に示すように、排気を浄化する略柱形の浄化体２と、浄化体２の外周に周設されるマット状の保持材３と、保持材３が周設された浄化体２を収容するケース４ｋを備えるものであり、ケース４ｋが、浄化体２の軸方向に対して略垂直な方向に合わせられた一対のケース半体５ｋ、６ｋで構成されている。浄化体２の構成、保持材３の構成、保持材３が浄化体２の膨出部２１の外周を覆うように周設されている構成は、第１実施形態と同一である。
【００３４】
ケース４ｋを構成する一対のケース半体５ｋ、６ｋは、それぞれ金属製であり、軸方向の中間位置に外側に膨出する略弧状の膨出部５１ｋ、６１ｋが設けられている。膨出部５１ｋの前後には膨出部５１ｋよりも小径で略半楕円筒形の基部５２ｋ、５３ｋが設けられ、膨出部６１ｋの前後にも膨出部６１ｋよりも小径で略半楕円筒形の基部６２ｋ、６３ｋが設けられている。図示で上側ケース半体に相当するケース半体５ｋの基部５２ｋ、５３ｋの周長は、図示で下側ケース半体に相当するケース半体６ｋの基部６２ｋ、６３ｋの周長よりも短くなっている。
【００３５】
上側のケース半体に相当するケース半体５ｋの左右両側の端部には、嵌合受部５５ｋが外側に膨らむように形成されていると共に、嵌合受部５５ｋの前後には当接端部５６ｋが設けられている。嵌合受部５５ｋは前側の基部５２ｋの途中から膨出部５１ｋを経て後側の基部５３ｋの途中まで形成されている。嵌合受部５５ｋは、浄化体２の屈曲部２１５に略対応する位置に延設されている。
【００３６】
下側のケース半体に相当するケース半体６ｋの左右両側の端部には、嵌合受部５５ｋに倣って嵌合される嵌合部６５ｋが軸方向に延びて形成されていると共に、嵌合部６５ｋの前後には当接端部６６ｋが設けられている。嵌合部６５ｋは前側の基部６２ｋの途中から膨出部６１ｋを経て後側の基部６３ｋの途中まで形成されている。嵌合部６５ｋは、浄化体２の屈曲部２１５に略対応する位置に延設されている。
【００３７】
ケース４ｋは、ケース半体５ｋの嵌合受部５５ｋにケース半体６ｋの嵌合部６５ｋを嵌合すると共に、当接端部５６ｋ、６６ｋを相互に当接し、例えば嵌合受部５５ｋの先端とケース半体６ｋの外周面、当接端部５６ｋ、６６ｋ相互を溶接することにより接合されている。ケース半体５ｋの内側に嵌め込まれるケース半体６ｋの先端とケース半体５ｋとの接触部、換言すれば嵌合部６５ｋの先端とケース半体５ｋの接触部４２ｋは、ケース半体５ｋ、６ｋの両側の合わせ部に相当する。
【００３８】
そして、接触部４２ｋのうち、浄化体２の屈曲部２１５の近傍位置に配置される接触部４２ｐが、屈曲部２１５に倣うように設けられる。この接触部４２ｐは、屈曲部２１５の近傍位置に配置されて屈曲部２１５に倣うように設けられるケース半体５ｋ、６ｋの合わせ部の一部に相当し、ケース半体５ｋ、６ｋの両側で接触部４２ｐ・４２ｐが、屈曲部２１５の近傍位置に配置され、屈曲部２１５に倣うようにそれぞれ設けられる。尚、第２実施形態でも、浄化体２の保持材３の周設領域において、浄化体２の軸方向の任意の位置における浄化体２とケース４との離間距離が、合わせ部周辺以外の周方向の全体で、換言すれば接触部４２ｐの周辺以外の周方向の全体で略同一になるように形成されている。
【００３９】
第２実施形態によれば、ケース半体５ｋの内側に嵌め込まれるケース半体６ｋの先端とケース半体５ｋとが接触する排気浄化装置１ｋにおいて、第１実施形態と対応する構成から対応する効果を得ることができる。
【００４０】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００４１】
例えば第１、第２実施形態では、浄化体２の膨出部２１に平面部２１２、屈曲部２１５等が設けられる構成、換言すれば浄化体２の軸方向の一部だけに平面部と屈曲部が設けられる構成としたが、本発明の排気浄化装置には、例えば浄化体が全長に亘って略多角柱形の場合など、浄化体の軸方向の全長に亘って平面部や屈曲部が設けられており、一対のケース半体の両側の合わせ部が全長に亘って屈曲部の近傍位置で屈曲部に倣うようにそれぞれ設けられる構成も含まれる。この場合、浄化体の軸方向の全長に亘る平面部や屈曲部に対応して全長に亘って保持材を設ける構成、或いは浄化体の軸方向の全長に亘る平面部や屈曲部の一部に対応する軸方向の長さで保持材を設ける構成とすることが可能である。
【００４２】
また、第１、第２実施形態における保持材３は、浄化体２の軸方向で膨出部２１に対応する領域の前後に亘って保持材３を周設する構成とすると、浄化体２を保持する所要の保持力を確実に得ることができて好適であるが、浄化体２の軸方向で屈曲部２１５に対応する領域だけに周設する構成とすることも可能である。
【００４３】
また、本発明における保持材の幅（浄化体の軸方向の長さ）は、浄化体の長さ以下の幅で、且つ浄化体長の３０％以上の幅とすると、浄化体を保持する所要の保持力を得ることができて好適であり、更に、第１、第２実施形態のように浄化体が膨出部を有する場合には、浄化体の長さ以下の幅で且つ浄化体長の３０％以上の幅を有すると共に、膨出部に対応する領域の前後に亘って保持材を周設できる幅とすると、浄化体を保持する所要の保持力をより確実に得ることができて一層好適である。
【００４４】
また、本発明における浄化体の平面部には略平面状の平面部が含まれ、平面に近い形状も含まれる。また、本発明の排気浄化装置には、浄化体の外周に形成されている曲面部の端が屈曲されて軸方向に延びる屈曲部が浄化体の両側に設けられている場合にも適用される。この曲面部には、例えば外側に凸の曲面状で屈曲部よりも曲率の大きい曲面部や、内側に凸の曲面状の曲面部が含まれる。
【産業上の利用可能性】
【００４５】
本発明は、例えば自動車の内燃機関の排気経路に設置される排気浄化装置として利用することができる。
【符号の説明】
【００４６】
１、１ｋ…排気浄化装置  ２…浄化体  ２１…膨出部  ２１１、２１２、２１３…平面部  ２１４、２１５…屈曲部  ２２、２３…基部  ３…保持材  ４、４ｋ…ケース  ４１、４１ｐ…当接部  ４２ｋ、４２ｐ…接触部  ５、６、５ｋ、６ｋ…ケース半体  ５１、６１、５１ｋ、６１ｋ…膨出部  ５２、５３、６２、６３、５２ｋ、５３ｋ、６２ｋ、６３ｋ…基部  ５４、６４、５４ａ、６４ａ、５４ｂ、６４ｂ…フランジ  ５４１、６４１、５４１ａ、６４１ａ…中間部、５５ｋ…嵌合受部  ６５ｋ…嵌合部  ５６ｋ、６６ｋ…当接端部  １００…排気浄化装置  １１０…浄化体  １１１…膨出部  １１２、１１３、１１４…平面部  １２０…保持材  １３０…ケース  １４０…上側ケース半体  １４１…フランジ  １５０…下側ケース半体  １５１…フランジ
【図１】
2018127957.tif 000003
【図２】
2018127957.tif 000004
【図３】
2018127957.tif 000005
【図４】
2018127957.tif 000006
【図５】
2018127957.tif 000007
【図６】
2018127957.tif 000008
【図７】
2018127957.tif 000009